(57)【要約】  アンテナ構造体は本体（１０）、本体（１０）と結合されたアンテナ素子（１２）、並びに本体（１０）及びアンテナ素子（１２）と結合されたアーム支持体（１４）から構成される。アーム支持体（１４）は、両面カスタマイズ可能プレート（１６）を受入れるように構成された凹部（１５）を片側に含む。カスタマイズ可能プレート（１６）は非金属材料で製造される。更に、カスタマイズ可能プレート（１６）は凹部の中に嵌合するように形成され、アーム支持体（１４）の凹部（１５）に接着される。また、カスタマイズ可能プレート（１６）は、視覚可能な画像を付与し、美観についてカスタマイズすることが可能である。更に、カスタマイズ可能プレート（１６）がアーム支持体（１４）に装着されたとき、凹部（１５）に面するプレート面に金属蒸着パターン（２０）を刷込むことで、アンテナ素子（１２）の性能特性に有益な影響を与えることができる。
2009524343.tif 000002
【特許請求の範囲】
【請求項１】
アンテナ構造体であって、
本体（１０）と、
前記本体（１０）と結合されたアンテナ素子（１２）と、
前記アンテナ素子（１２）により形成される空間の大部分を実質的に埋めるように前記本体（１０）及び前記アンテナ素子（１２）と結合され、その両面についてカスタマイズすることが可能なカスタマイズ可能プレート（１６）を受入れるように構成された凹部（１５）を一方の面に含むアーム支持体（１４）とを具備するアンテナ構造体。
【請求項２】
前記凹部の中に嵌合するように構成された前記カスタマイズ可能プレート（１６）は、前記アーム支持体の前記凹部（１５）に接着される請求項１記載のアンテナ構造体。
【請求項３】
前記カスタマイズ可能プレート（１６）は、視覚可能な画像を付与することで美観に関してカスタマイズ可能であることを特徴とする請求項１記載のアンテナ構造体。
【請求項４】
前記カスタマイズ可能プレート（１６）は、前記アンテナ素子（１２）の性能特性に影響を及ぼさない非金属材料で製造されることを特徴とする請求項１記載のアンテナ構造体。
【請求項５】
前記カスタマイズ可能プレート（１６）は、非金属材料で製造され、前記アーム支持体（１４）に固定された場合に、前記凹部（１５）に面する側の面に、刷込み金属蒸着パターン（２０）を更に備え、
前記刷込み金属蒸着パターン（２０）は、前記アンテナ素子（１２）に有益な影響を及ぼすことを特徴とする請求項１記載のアンテナ構造体。
【請求項６】
本体（１０）及びアンテナ素子（１２）から構成されるアンテナ構造と結合されるアーム支持体（１４）であって、両面カスタマイズ可能プレート（１６）を受入れるように構成される凹部（１５）を一方の面に有する非金属材料から製造されたアーム支持体（１４）。
【請求項７】
前記凹部（１５）に嵌合する前記両面カスタマイズ可能プレート（１６）は、前記アーム支持体（１４）の凹部（１５）に接着されることを特徴とする請求項６記載のアーム支持体（１４）。
【請求項８】
前記両面カスタマイズ可能プレート（１６）は、視覚可能な画像を付与することで美観に関してカスタマイズ可能であることを特徴とする請求項６記載のアーム支持体（１４）。
【請求項９】
前記両面カスタマイズ可能プレート（１６）は、前記アンテナ素子（１２）の性能特性に影響を及ぼさない非金属材料で製造されることを特徴とする請求項６記載のアーム支持体（１４）。
【請求項１０】
前記カスタマイズ可能プレート（１６）は非金属材料で製造され、前記アーム支持体（１４）に固定された場合に、前記凹部（１５）に面する側の面に刷込み金属蒸着パターン（２０）を更に備え、前記刷込み金属蒸着パターン（２０）は前記アンテナ素子（１２）の性能特性に有益な影響を及ぼすことを特徴とする請求項６記載のアーム支持体（１４）。
【請求項１１】
アンテナ構造体と共に使用するカスタマイズ可能プレート（１６）であって、
アンテナ構造体に嵌合するように構成された非金属材料を具備し、
前記非金属材料は、視覚可能な画像を付与することで美観に関してカスタマイズ可能であり、更に前記アンテナ構造体の性能特性に影響を及ぼさないことを特徴とするカスタマイズ可能プレート（１６）。
【請求項１２】
アンテナ素子を有するアンテナ構造体と共に使用するカスタマイズ可能プレート（１６）であって、
前記アンテナ構造体に嵌合する非金属材料と、
前記カスタマイズ可能プレート（１６）の一方の面にあり、前記アンテナ素子（１２）の性能特性に有益な影響を及ぼす刷込み金属蒸着パターン（２０）とを具備するカスタマイズ可能プレート（１６）。
【請求項１３】
前記アンテナ構造体に嵌合するように構成された前記非金属材料は、画像を付与することで美観に関してカスタマイズ可能であることを特徴とする請求項１２記載のカスタマイズ可能プレート（１６）。
【発明の詳細な説明】
【技術分野】
【０００１】
本発明は、ＰＣカード又は他の移動装置のアンテナに関する。
【背景技術】
【０００２】
ＰＣカード又は他の移動装置のアンテナに顧客の色、ロゴ、会社名などを表示するようにアンテナをカスタマイズすることを顧客が要求する場面は多い。これにより、ブランド名を印象付け、ブランドを認識させる機会が更に増す。
【０００３】
通常、アンテナは製造の時点で個別にブランド名を付しているため、アンテナ供給者にとっては、そのような要求に対応するのに余分な工作費と準備期間が必要になる。
【発明の開示】
【発明が解決しようとする課題】
【０００４】
アンテナ供給者はブランドごとにカスタマイズされたツールを利用しなければならない。このツールはアンテナ製造工程に組込まれ、新たな顧客／ブランドごとに切替えられなければならない。工程全体としては効率の悪さ、追加コスト及び時間浪費という問題が発生し、最終的には一般消費者の負担となる。
【課題を解決するための手段】
【０００５】
本発明は、アンテナ本体及びアンテナ素子に支持アームを結合させることにより上記の問題に対処する。支持アームは、プラスチック又は他の何らかの容易に製造される剛性の非導電性材料から製造されたカスタマイズ可能プレートを受入れ、固定するように構成された凹部を含む。カスタマイズ可能プレートには、顧客の要求に応じて個別にブランド名を付けることができる。
【０００６】
更に、支持アームによりアンテナ全体の安定性、剛性及び強度が向上する。カスタマイズ可能プレート自体は非導電性であり、アンテナの性能特性を変化させない。しかし、別の実施形態においては、カスタマイズ可能プレートが支持アームの凹部に装着された場合に、視覚できない（外から見えない）側のカスタマイズ可能プレートの面に金属蒸着パターンを刷込むことができる。この金属蒸着パターンにより、ＧＰＳ受信及びＷＬＡＮ受信などの（それらに限定されないが）用途のために、当初の意図したアンテナ特性をさらに向上させるように設計できる。
【０００７】
本発明の一実施形態における、アンテナ構造体を示す。アンテナ構造体は、本体、本体と結合されたアンテナ素子、及び本体とアンテナ素子とに結合されたアーム支持体を具備する。アーム支持体は、アンテナ素子の形状により形成される空間の大部分を実質的に埋める。アーム支持体はまた、その両面をカスタマイズ可能なプレートを装着する凹部を片面に含む。
【０００８】
カスタマイズ可能プレートは、アンテナ素子の性能特性に影響を及ぼさない非金属材料で製造される。カスタマイズ可能プレートは更に、凹部の中に嵌合するように構成され、アーム支持体の凹部に接着することができる。カスタマイズ可能プレートはまた、外側から見える画像を表示するように画像を使ってカスタマイズすることが可能である。
【０００９】
また更に、カスタマイズ可能プレートがアーム支持体に装着された場合に、凹部に面する側に、金属蒸着パターンを刷込むことができる。刷込み金属蒸着パターンはアンテナ素子の性能特性に有益な影響を及ぼす。
【００１０】
本発明の別の実施形態における、アンテナ構造体のためのアーム支持体を説明する。アーム支持体は、本体及びアンテナ素子から構成されるアンテナ構造体と結合される。アーム支持体は、両面についてカスタマイズ可能プレートを受入れるように構成された凹部を一方の面に有する、非金属材料で製造される。カスタマイズ可能プレートは、凹部の中に嵌合するように構成され、アーム支持体の凹部に接着することができる。カスタマイズ可能プレートは、視覚可能な（外側から見える）画像を付与するなど、美観に関してカスタマイズすることが可能である。更に、カスタマイズ可能プレートをアーム支持体に装着した状態において、凹部に面するカスタマイズ可能プレートの面に、金属蒸着パターンを刷込むことができる。刷込み金属蒸着パターンはアンテナ素子の性能特性に有益な影響を及ぼす。
【００１１】
本発明の更に別の実施形態における、アンテナ構造体と共に使用するためのカスタマイズ可能プレートを説明する。カスタマイズ可能プレートは、アンテナ構造体の一部であるアーム支持体の凹部の中に嵌合するように構成される。カスタマイズ可能プレートは、視覚可能な（外側から見える）画像を付与し、美観についてカスタマイズすることが可能である。更に、カスタマイズ可能プレートをアーム支持体に固定すると、凹部に面する側のカスタマイズ可能プレートの面に、金属蒸着パターンを刷込むことができる。刷込み金属蒸着パターンは、アンテナ構造体の一部であるアンテナ素子の性能特性に有益な影響を及ぼす。
【発明を実施するための最良の形態】
【００１２】
図１は、本発明の一実施形態におけるアンテナ構造体及びその構成要素を示す。アンテナ構造体は、従来技術とほぼ同様の金属アンテナ素子１２と結合された本体１０を含む。
【００１３】
本発明は、本体１０及びアンテナ素子１２の双方に結合されたアーム支持体１４を更に含む。アーム支持体１４の二重結合構造は、アンテナ構造体全体の安定性、強度及び剛性のレベルを更に向上させる。そしてアーム支持体は、アンテナ素子１２により形成された空間の大部分を埋め、アンテナ素子１２の端部を本体１０に接続している。
【００１４】
結合コネクタ１８も示される。結合コネクタ１８は、アンテナ構造体と、送信機、受信機又は送受信機のＲＦ電子回路（図示せず）との間のインタフェースポイントを構成する。
【００１５】
アーム支持体１４は、アーム支持体１４の片面の大部分を占める浅い凹部１５を更に含む。凹部１５は、カスタマイズ可能プレート１６を受入れ、かつ固定するように構成される。
【００１６】
カスタマイズ可能プレート１６は、アーム支持体１４の凹部１５の中に隙間なく嵌合するように設計される。当業者には周知である種の接着剤を使用して、カスタマイズ可能プレート１６を所定の場所に保持できる。
【００１７】
カスタマイズ可能プレート１６及びアーム支持体１４は、アンテナ素子１２の性能特性を阻害しないように、プラスチックなどの非金属材料で製造される。カスタマイズ可能プレートは、顧客の名前又はロゴを表示するようにカスタマイズ可能である。どんなデザインでもカスタマイズ可能プレート１６に直接組み込むことができ、又デザインはカスタマイズ可能プレート１６に貼付できる接着ステッカーの形態でも組み込める。
【００１８】
以上説明したアンテナ構造体を使用することにより、アンテナ製造者／供給業者は、異なるロゴ又はデザインのためにツール又は機械装置をカスタマイズさせることなく、単一のアンテナを製造できる。カスタマイズ可能プレート１６を製造するツール又は機械装置が、複数の異なる顧客のために調整を必要とする唯一のものとなる。
【００１９】
カスタマイズ可能プレート１６がプレートに貼付できるステッカーを利用するならば、そのような工具又は機械装置の調整さえ必要なくなる。凹部１５の中にステッカーを直接貼付することも可能である。カスタマイズ可能ステッカーは、アーム支持体１４の表面に直接貼付できるので、アーム支持体１４に凹部１５を形成する必要もなくなる。アーム支持体１４に凹部１５を形成すると、ステッカーの縁部が露出された状態ではなくなり、ステッカーが剥がれにくくなるので、凹部１５を使用するのは好都合である。
【００２０】
図２ａ〜図２ｃは、図１のアンテナ構造体に付属する、複数の異なるカスタマイズ可能プレート１６を示す。これらの図は、複数の顧客に対して、実際のアンテナ構造体の製造工程を変更する必要がなく、全く同じアンテナ構造体をカスタマイズできることを示す。
【００２１】
例えば、図２ａにおいて、カスタマイズ可能プレート１６は、ソニーエリクソン（Sony Ericsson）の商標を有するが、一方図２ｂにおいては、カスタマイズ可能プレート１６はソニー（Ｓｏｎｙ）の商標を有し、図２ｃにおいては、カスタマイズ可能プレート１６はエリクソン（Ericsson）の商標を有する。
【００２２】
すなわち、アンテナ製造者はツールを変更する必要なく多数の顧客に対応できる。アンテナ製造業者は、場合に応じて、アンテナ構造体のカスタマイズ可能プレート１６の部分を製造するか又は製造を完了するという契約を結ぶだけでよい。これにより、アンテナ構造体を製造及び納品するために必要とされるコストと時間を著しく減少させることができる。
【００２３】
更に、カスタマイズ可能プレート１６は、アンテナ構造体のアンテナ特性を向上するためにも使用される。カスタマイズ可能プレート１６を支持アームの凹部に固定した場合において、視覚できない（外側からは見えない）側であるカスタマイズ可能プレートの面に、金属蒸着パターンを刷込むことができる。当初に意図したアンテナ性能を向上させ、かつＧＰＳ受信及びＷＬＡＮ受信へ応用することを（これだけに限定されないが）可能にするように、金属蒸着パターンを特定し設計できる。
【００２４】
図３ａ〜図３ｄは、基本アンテナ構造体の電圧定在波比（ＶＳＷＲ）特性に影響を及ぼす金属蒸着パターンのいくつかの例を示す。ＶＳＷＲは、最大有効電圧と最小有効電圧との無単位比である。ＶＳＷＲは１から無限大の範囲をとることができ、反射エネルギーの量を表す。ＶＳＷＲが１のとき、全てのエネルギーが通過することを示す。ＶＳＷＲが１より大きいと、通過するエネルギーが減少することを示す。従ってＶＳＷＲのグラフにおいて、低い谷の部分は、最大アンテナ性能の周波数帯域又は周波数領域を表し、一方グラフのピークの部分はアンテナ性能をほとんど、あるいは全く発揮しない領域を示す。
【００２５】
セルラ通信（音声及びデータ）専用の周波数帯域は世界中に多数存在する。一般に、これらの周波数帯域は世界中の政府により規制され、政府は、特定の周波数スペクトルの使用を許可するライセンスを発行する。ある特定帯域は、その特定の用途と関連付けられる。
【００２６】
例えば、ＧＳＭ規格（Global System for Mobile communication standard）では、移動無線装置が使用されている国に応じて、複数の帯域幅を占有利用させている。
【００２７】
通常、８５０ＭＨｚ、９００ＭＨｚ、１８００ＭＨｚ及び１９００ＭＨｚを中心とする４つのＧＳＭの帯域幅がある。１８００ＭＨｚ及び１９００ＭＨｚの帯域幅は、それぞれデジタルセルラシステム（Digital Cellular System、以下「ＤＣＳ」と言う）及びパーソナル通信サービス（Personal Communications Service、以下「ＰＣＳ」と言う）と呼ばれることが多い。
【００２８】
全地球測位システム（Global Positioning System、以下「ＧＰＳ」と言う）は、その目的のために確保された１５７５ＭＨｚを中心とする周波数帯域を占有してきた。
【００２９】
同様に、無線ローカルエリアネットワーク（Wireless Local Area Network以下「ＷＬＡＮ」と言う）は無規制の２．４ＧＨｚ（２４００ＭＨｚ）の周波数範囲で動作する。
【００３０】
ＤＣＳ、ＰＣＳ、ＧＰＳ及びＷＬＡＮの周波数領域は、それらが表す実際の周波数範囲の代わりに、図４及び図５では横軸上にある各略称部の範囲で示される。
【００３１】
図３ａは、図４ｂのグラフで示されるアンテナの周波数カバー範囲を向上するように設計された金属蒸着パターンを示す。図３ｂは、図５ｂのグラフで示されるアンテナのＧＰＳのカバー範囲を提供するように設計された金属蒸着パターンを示す。図３ｃは、図５ｃのグラフで示されるアンテナのＷＬＡＮのカバー範囲を提供するように設計された金属蒸着パターンを示す。図３ｄは、図５ｄのグラフで示されるアンテナのＧＰＳ及びＷＬＡＮのカバー範囲を提供するように設計された金属蒸着パターンを示す。
【００３２】
図４ａ及び図４ｂは、カスタマイズ可能プレート１６に付着する刷込み金属蒸着パターンがある場合とない場合に関して、２帯域アンテナ構造体の電圧定在波比（ＶＳＷＲ）を対比して示す。
【００３３】
図４ａは、刷込み金属蒸着パターンのないカスタマイズ可能プレート１６を有する２帯域アンテナの基本ＶＳＷＲを示す。この図は、最初に意図した２帯域アンテナ構造体のＶＳＷＲを示す。このグラフから、ＧＳＭ周波数帯域におけるアンテナの最大受信は８５０ＭＨｚ及び１９００ＭＨｚ（ＰＣＳ）を中心とする帯域であったことがわかる。
【００３４】
図４ｂは、カスタマイズ可能プレート１６に、図３ａの金属蒸着パターン２０ａが刷込まれている２帯域アンテナのＶＳＷＲを示す。金属蒸着パターン２０ａにより、このアンテナがＤＣＳ帯域を含むより広い周波数カバー範囲を提供できるよう設計されている。この例においては、カスタマイズ可能プレート１６の背面に刷込まれた金属蒸着パターン２０ａが、アンテナ構造体の周波数特性を変化させている。このグラフの谷の部分で示されるように、受信は、９００ＭＨｚのＧＳＭ周波数帯域、１８００ＭＨｚ（ＤＣＳ）及び１９００ＭＨｚ（ＰＣＳ）の範囲に対して最大化されている。
【００３５】
図５ａ〜図５ｄは、カスタマイズ可能プレート１６に付着する刷込み金属蒸着パターンがある場合とない場合に関して、４帯域アンテナ構造体の電圧定在波比（ＶＳＷＲ）を対比して示す。
【００３６】
図５ａは、刷込み金属蒸着パターンのないカスタマイズ可能プレート１６を有する４帯域アンテナの基本ＶＳＷＲを示す。この図は、意図した所期の４帯域アンテナ構造体のＶＳＷＲを示す。このグラフは、カスタマイズ可能プレート１６上の金属蒸着パターンの補助を受けずに、受信は、８５０ＭＨｚと９００ＭＨｚのＧＳＭ周波数帯域、１８００ＭＨｚ（ＤＣＳ）及び１９００ＭＨｚ（ＰＣＳ）の範囲に対して最大化されるようにアンテナが設計されていることを示す。
【００３７】
図５ｂは、カスタマイズ可能プレート１６に、図３ｂの金属蒸着パターン２０ｂが刷込まれている４帯域アンテナのＶＳＷＲを示す。この金属蒸着パターン２０ｂは、ＧＰＳ周波数受信のアンテナカバー範囲を広げるように設計されている。この例においては、カスタマイズ可能プレート１６の背面に刷込まれた金属蒸着パターン２０ｂは、アンテナ構造体の周波数特性を変化させる。８５０ＭＨｚと９００ＭｈｚのＧＳＭ周波数帯、１８００ＭＨｚ（ＤＣＳ）、そして１９００ＭＨｚ（ＰＣＳ）の周波数帯に加えて、このグラフは、金属蒸着パターン２０ｂにより、ＧＰＳ衛星により利用される周波数である１５７５（ＭＨｚ）での受信が更に可能になることを示す。
【００３８】
図５ｃは、カスタマイズ可能プレート１６に、図３ｃの金属蒸着パターン２０ｃが刷込まれている、４帯域アンテナのＶＳＷＲを示す。この金属蒸着パターン２０ｃは、ＷＬＡＮ周波数帯域に適用させるためにアンテナカバー範囲を広げるように設計されている。一般に、ＷＬＡＮは、規制の緩い２．４ＧＨｚの周波数を利用する無線通信プロトコルの総称として用いられる。このプロトコルには、８０２．１１シリーズのＷｉ‐Ｆｉ（Wireless Fidelity）プロトコル並びに短距離用のＢｌｕｅｔｏｏｔｈプロトコルを含むが、それらに限定されない。この例においては、カスタマイズ可能プレート１６の背面に刷込まれた金属蒸着パターン２０ｃは、アンテナ構造体の周波数特性を変化させる。８５０ＭＨｚと９００ＭｈｚのＧＳＭ周波数帯、１８００ＭＨｚ（ＤＣＳ）、そして１９００ＭＨｚ（ＰＣＳ）の周波数帯に加えて、このグラフは、金属蒸着パターン２０ｃがＷＬＡＮ及びＢｌｕｅｔｏｏｔｈなどにより利用される周波数２．４（ＧＨｚ）での受信が更に可能になることを示す。
【００３９】
図５ｄは、カスタマイズ可能プレート１６に、図３ｄの金属蒸着パターン２０ｄが刷込まれている、４帯域アンテナのＶＳＷＲを示す。この金属蒸着パターン２０ｄにより、ＧＰＳカバー範囲及びＷＬＡＮカバー範囲の双方に関してアンテナカバー範囲を広げるように設計されている。この例においては、カスタマイズ可能プレート１６の背面に刷込まれた金属蒸着パターン２０ｄは、アンテナ構造体の周波数特性を変化させる。８５０ＭＨｚと９００ＭｈｚのＧＳＭ周波数帯、１８００ＭＨｚ（ＤＣＳ）、そして１９００ＭＨｚ（ＰＣＳ）の周波数帯に加えて、このグラフは、金属蒸着パターン２０ｄにより、ＧＰＳ衛星により利用される周波数である１５７５（ＭＨｚ）並びにＷＬＡＮ及びＢｌｕｅｔｏｏｔｈなどにより利用される周波数２．４（ＧＨｚ）での受信を更に可能にすることを示す。
【００４０】
以上のように、カスタマイズ可能プレート１６の内面に刷込むことができる金属蒸着パターン２０ａ〜２０ｄの設計を変化させることにより、より多くの用途及び無線通信プロトコルにおける使用を可能にするように、アンテナ構造体の全体的性能特性を向上させることができる。
【００４１】
図３ａ〜図３ｄに示される金属蒸着パターンは例であり、本発明のいくつかの実施形態を例示するために使用されている。ここで特に説明されなかった他の金属蒸着パターンもカスタマイズ可能プレートに適用可能である。従って、本発明は、ここで特定して説明した金属蒸着パターンに限定されない。当業者であれば、本発明の範囲から逸脱することなく、それらに代わる金属蒸着パターンを容易に設計し、カスタマイズ可能プレートに適用できるであろう。
【００４２】
ここで使用される用語は、特定の実施形態を説明することのみを目的としており、本発明を限定することを意図しない。また、特に明示されない限り、単数形「a」、「an」及び「the」は、複数形も同様に含むことを意図する。また、用語「具備する」及び／又は「具備している」が使用されているが、この用語は、記載される特徴、数字、ステップ、動作、要素及び／又は構成要素の存在を指定するが、１つ以上の他の特徴、数字、ステップ、動作、要素、構成要素及び／又はそれらの集合の存在又は追加を除外しない。
【００４３】
特定の実施形態を図示及び説明したが、示された特定の実施形態の代わりに同一の目的を達成すると推定される任意の構造が使用されても良いこと及び本発明が他の環境において他の用途を有することは、当業者により理解されるであろう。本出願は、本発明の任意の適応例又は変形例を包含する。また請求の範囲は、本発明の範囲を本明細書中で説明した特定の実施形態に限定することを意図しない。
【図面の簡単な説明】
【００４４】
【図１】本発明によるアンテナ及びその構成要素を示す図である。
【図２ａ】、
【図２ｂ】、
【図２ｃ】図１のアンテナ構造体に付属する、各々異なるカスタマイズ可能プレートを示す図である。
【図３ａ】図４ｂのグラフで示される周波数領域を向上するように設計された金属蒸着パターンを示す図である。
【図３ｂ】図５ｂのグラフにより示されるＧＰＳのカバー領域を提供するように設計された金属蒸着パターンを示す図である。
【図３ｃ】図５ｃのグラフにより示されるＷＬＡＮのカバー領域を提供するよう設計された金属蒸着パターンを示す図である。
【図３ｄ】図５ｄのグラフに示されるようにＧＰＳ及びＷＬＡＮのカバー領域を提供するように設計された金属蒸着パターンを示す図である。
【図４ａ】刷込み金属蒸着パターンを含まないカスタマイズ可能プレートを有する、２帯域アンテナの電圧定在波比（ＶＳＷＲ）の実例を示す図である。
【図４ｂ】カスタマイズ可能プレートに、図３ａの金属蒸着パターンが刷込まれている、２帯域アンテナの電圧定在波比（ＶＳＷＲ）の実例を示す図である。
【図５ａ】刷込み金属蒸着パターンを含まないカスタマイズ可能プレートを有する４帯域アンテナの電圧定在波比（ＶＳＷＲ）の実例を示す図である。
【図５ｂ】カスタマイズ可能プレートに、図３ｂの金属蒸着パターンが刷込まれている、４帯域アンテナの電圧定在波比（ＶＳＷＲ）の実例を示す図である。
【図５ｃ】カスタマイズ可能プレートに、図３ｃの金属蒸着パターンが刷込まれている、４帯域アンテナの電圧定在波比（ＶＳＷＲ）の実例を示す図である。
【図５ｄ】カスタマイズ可能プレートに、図３ｄの金属蒸着パターンが刷込まれている、４帯域アンテナの電圧定在波比（ＶＳＷＲ）の実例を示す図である。
【図１】
2009524343.tif 000003
【図２ａ】
2009524343.tif 000004
【図２ｂ】
2009524343.tif 000005
【図２ｃ】
2009524343.tif 000006
【図３ａ】
2009524343.tif 000007
【図３ｂ】
2009524343.tif 000008
【図３ｃ】
2009524343.tif 000009
【図３ｄ】
2009524343.tif 000010
【図４ａ】
2009524343.tif 000011
【図４ｂ】
2009524343.tif 000012
【図５ａ】
2009524343.tif 000013
【図５ｂ】
2009524343.tif 000014
【図５ｃ】
2009524343.tif 000015
【図５ｄ】
2009524343.tif 000016
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
アンテナ構造体であって、
本体（１０）と、
前記本体（１０）と結合されたアンテナ素子（１２）と、
前記アンテナ素子（１２）により形成される空間の大部分を実質的に埋めるように前記本体（１０）及び前記アンテナ素子（１２）と結合され、その両面についてカスタマイズすることが可能なカスタマイズ可能プレート（１６）を受入れるように構成された凹部（１５）を一方の面に含むアーム支持体（１４）とを具備するアンテナ構造体。
【請求項２】
前記凹部の中に嵌合するように構成された前記カスタマイズ可能プレート（１６）は、前記アーム支持体の前記凹部（１５）に接着される請求項１記載のアンテナ構造体。
【請求項３】
前記カスタマイズ可能プレート（１６）は、視覚可能な画像を付与することで美観に関してカスタマイズ可能であることを特徴とする請求項１記載のアンテナ構造体。
【請求項４】
前記カスタマイズ可能プレート（１６）は、前記アンテナ素子（１２）の性能特性に影響を及ぼさない非金属材料で製造されることを特徴とする請求項１記載のアンテナ構造体。
【請求項５】
前記カスタマイズ可能プレート（１６）は、非金属材料で製造され、前記アーム支持体（１４）に固定された場合に、前記凹部（１５）に面する側の面に、刷込み金属蒸着パターン（２０）を更に備え、
前記刷込み金属蒸着パターン（２０）は、前記アンテナ素子（１２）に有益な影響を及ぼすことを特徴とする請求項１記載のアンテナ構造体。
【請求項６】
本体（１０）及びアンテナ素子（１２）から構成されるアンテナ構造と結合されるアーム支持体（１４）であって、両面カスタマイズ可能プレート（１６）を受入れるように構成される凹部（１５）を一方の面に有する非金属材料から製造されたアーム支持体（１４）。
【請求項７】
前記凹部（１５）に嵌合する前記両面カスタマイズ可能プレート（１６）は、前記アーム支持体（１４）の凹部（１５）に接着されることを特徴とする請求項６記載のアーム支持体（１４）。
【請求項８】
前記両面カスタマイズ可能プレート（１６）は、視覚可能な画像を付与することで美観に関してカスタマイズ可能であることを特徴とする請求項６記載のアーム支持体（１４）。
【請求項９】
前記両面カスタマイズ可能プレート（１６）は、前記アンテナ素子（１２）の性能特性に影響を及ぼさない非金属材料で製造されることを特徴とする請求項６記載のアーム支持体（１４）。
【請求項１０】
前記カスタマイズ可能プレート（１６）は非金属材料で製造され、前記アーム支持体（１４）に固定された場合に、前記凹部（１５）に面する側の面に刷込み金属蒸着パターン（２０）を更に備え、前記刷込み金属蒸着パターン（２０）は前記アンテナ素子（１２）の性能特性に有益な影響を及ぼすことを特徴とする請求項６記載のアーム支持体（１４）。
【手続補正２】
【補正対象書類名】明細書
【補正対象項目名】００４１
【補正方法】変更
【補正の内容】
【００４１】
図３ａ〜図３ｄに示される金属蒸着パターンは例であり、本発明のいくつかの実施形態を例示するために使用されている。ここで特に説明されなかった他の金属蒸着パターンもカスタマイズ可能プレートに適用可能である。従って、本発明は、ここで特定して説明した金属蒸着パターンに限定されない。当業者であれば、本発明の範囲から逸脱することなく、それらに代わる金属蒸着パターンを容易に設計し、カスタマイズ可能プレートに適用できるであろう。
本発明の実施形態によれば、アンテナ構造体と一緒に利用するカスタマイズ可能プレート１６は、アンテナ構造体に嵌合する非金属材料部を含み、その非金属材料部に、視覚可能な画像を付与し、美観についてカスタマイズすることが可能であり、その画像は、アンテナ構造体の性能特性に影響を与えない。
本発明の実施形態によれば、アンテナ構造体と一緒に利用するカスタマイズ可能プレート１６は、アンテナ構造体に嵌合する非金属材料部を含み、そのカスタマイズ可能プレート１６の片側に刷り込まれた金属蒸着パターン２０は、アンテナ素子１２の性能特性に有益な影響を与えることができる。アンテナ構造体に嵌合する非金属材料部に、視覚可能な画像を付与し、美観についてカスタマイズすることが可能である。
【国際調査報告】
2009524343.tif 000017
2009524343.tif 000018
2009524343.tif 000019